(57)【要約】モバイルデバイス１０２，１０４をペアリングする方法が本明細書で開示される。説明される実施形態では、本方法は、（ｉ）ペアリングされるべきモバイルデバイス１０２，１０４からペアリングパラメータを受信するステップであって、ペアリングがモバイルデバイス１０２，１０４を振る動きによって開始され、少なくとも１つのペアリングパラメータがモバイルデバイス１０２，１０４の各向きを含むステップと、（ｉｉ）２つのモバイルデバイス１０２，１０４を決定するために、ペアリングパラメータをペアリング条件で検証するステップと、（ｉｉｉ）振った方向が、検証ステップ（ｉｉ）で使用されるかどうかを判定するステップと、（ｉｖ）ペアリング条件を満たす場合、モバイルデバイス１０２，１０４をペアリングするステップと、を備える。モバイルデバイスをペアリングする装置及び他のペアリング方法もまた開示される。【選択図】図１
2015534318.tif 000002
【特許請求の範囲】
【請求項１】
ペアリングされるモバイルデバイス間でデータを転送するためのモバイルデバイスをペアリングする方法であって、
（ｉ）ペアリングする前記モバイルデバイスを決定するために、ペアリングパラメータをペアリング条件で検証するステップであって、前記ペアリングパラメータの少なくとも１つが、ペアリングされる前記モバイルデバイスから受信され、前記ペアリングが前記モバイルデバイスを振る動きによって開始され、少なくとも１つの前記ペアリングパラメータが前記モバイルデバイスの各向きを含む、ステップと、
（ｉｉ）前記ペアリング条件を満たす場合、前記モバイルデバイスをペアリングするステップと、を備える方法。
【請求項２】
前記ペアリングパラメータの少なくとも１つは、前記モバイルデバイスをペアリングするペアリングサーバによって提供される請求項１に記載の方法。
【請求項３】
前記モバイルフォンの向きが、前記検証するステップ（ｉ）で使用されたか判定するステップと、
前記モバイルフォンの向きが、前記検証するステップ（ｉ）で使用された場合には、前記モバイルデバイスの向きを検証するステップと、を更に備える請求項１又は２に記載の方法。
【請求項４】
前記モバイルデバイスの向きを連続的に記録するステップを更に備える請求項１から３のいずれか一項に記載の方法。
【請求項５】
前記振る動きを開始する前の所定の時間に前記モバイルデバイスの向きを取得するステップを更に備える請求項４に記載の方法。
【請求項６】
前記所定の時間は、１秒である請求項５に記載の方法。
【請求項７】
前記ペアリングパラメータを前記ペアリング条件で検証するステップは、反転方向を取得するために前記モバイルデバイスの１つの向きを反転させるステップと、前記反転方向を別の一又はそれ以上のモバイルデバイスの向きと比較するステップと、を含む請求項１から６のいずれか一項に記載の方法。
【請求項８】
エラーマージンに基づいて前記反転方向の最大値及び最小値を導き出すステップと、前記最大値及び前記最小値を前記別の一又はそれ以上のモバイルデバイスの向きと比較するステップと、更に備える請求項７に記載の方法。
【請求項９】
前記ペアリングパラメータは、モバイルフォンの地理的位置及び／又はペアリングのための要求が受信されるペアリング開始時間を含む請求項１から８のいずれか一項に記載の方法。
【請求項１０】
前記ペアリング条件は、距離閾値を含み、前記ステップ（ｉ）は、前記モバイルフォンの地理的位置に基づいて２つのモバイルフォン間の距離を求めるステップと、前記距離を前記距離閾値と比較するステップと、を含む請求項９に記載の方法。
【請求項１１】
前記ペアリング条件は、時間閾値を含み、前記ステップ（ｉ）は、２つのモバイルフォンの開始時間の差を求めるステップと、前記差を前記時間閾値と比較するステップと、を含む請求項９又は１０に記載の方法。
【請求項１２】
前記ステップ（ｉｉ）は、ペアリングのために前記モバイルデバイスを認識する接続識別子を生成するステップと、前記接続識別子を前記２つのモバイルデバイスへ送信するステップと、を含み、前記接続識別子は、転送されるデータと共に送信される請求項１から１１のいずれか一項に記載の方法。
【請求項１３】
前記ステップ（ｉｉ）は、前記モバイルデバイスを別のモバイルデバイスとペアリングするステップを含む請求項１から１２のいずれか一項に記載の方法。
【請求項１４】
前記ステップ（ｉｉ）は、前記モバイルデバイスを別の複数のモバイルデバイスとペアリングするステップを含む請求項１から１２のいずれか一項に記載の方法。
【請求項１５】
ペアリングされるモバイルデバイス間でデータを転送するためのモバイルデバイスをペアリングする装置であって、前記装置は、
ペアリングする前記モバイルデバイスを決定するために、ペアリングパラメータをペアリング条件で検証するコントローラを備え、前記ペアリングパラメータの少なくとも１つが、ペアリングされる前記モバイルデバイスから受信され、前記ペアリングが前記モバイルデバイスを振る動きによって開始され、少なくとも１つの前記ペアリングパラメータが前記モバイルデバイスの各向きを含み、前記コントローラは、更に、検証された前記ペアリングパラメータに基づいて前記モバイルデバイスをペアリングするように構成される、装置。
【請求項１６】
ペアリングされるモバイルデバイス間でデータを転送するためのモバイルデバイスをペアリングする方法であって、
（ｉ）ペアリング要求を開始するためにモバイルデバイスを振るステップと、
（ｉｉ）前記モバイルデバイスを振ったことに応じて、ペアリング条件に対する検証のために少なくとも１つのペアリングパラメータをペアリングサーバへ送信するステップであって、前記少なくとも１つのペアリングパラメータが前記モバイルデバイスの向きを含む、ステップと、
（ｉｉｉ）前記ペアリングサーバから接続識別子を受信するステップであって、前記接続識別子がデータ転送に使用される、ステップと、を備える方法。
【請求項１７】
ペアリングされるモバイルデバイス間でデータを転送するためのモバイルデバイスをペアリングする方法であって、
（ｉ）ペアリング要求を開始するためにモバイルデバイスを振るステップと、
（ｉｉ）ペアリングする前記モバイルデバイスを決定するために、ペアリングサーバにより、ペアリングパラメータをペアリング条件で検証するステップであって、前記ペアリングパラメータの少なくとも１つが、ペアリングされる前記モバイルデバイスから受信され、少なくとも１つの前記ペアリングパラメータが前記モバイルデバイスの各向きを含む、ステップと、
（ｉｉｉ）前記ペアリング条件を満たす場合、ペアリングする前記モバイルデバイスを識別する接続識別子を生成するステップと、
（ｉｖ）前記接続識別子をモバイルフォンへ送信するステップと、を備える方法。
【請求項１８】
データ転送のために通信装置をペアリングする方法であって、
第１の通信装置からの第１のペアリング要求を受信するステップであって、前記第１のペアリング要求が、ユーザに関連付けられるデータ転送を識別する情報を含む、ステップと、
前記データ転送を識別するためにユニークコードを生成するステップと、
前記ユニークコードを前記第１の通信装置へ送信するステップと、
第２の通信装置からのペアリング検証要求を受信するステップと、
第２のペアリング要求が前記ユニークコードを含むかを検証するステップと、
そうである場合、データ転送を処理するステップと、を備える方法。
【請求項１９】
前記ユニークコードは、ＱＲコードの一部としてエンコードされる請求項１８に記載の方法。
【請求項２０】
前記データ転送は、支払い取引であり、前記第１の通信装置は、前記支払いの受領者と関連付けられる請求項１８又は１９に記載の方法。
【請求項２１】
前記第２の通信装置は、前記支払いの支払者と関連付けられる請求項２０に記載の方法。
【請求項２２】
前記第２の通信装置が、前記ＱＲコードからユニークコードを抽出するステップを更に備え、前記ペアリング検証要求は、抽出された前記ユニークコードを含む、請求項１９から２１のいずれか一項に記載の方法。
【発明の詳細な説明】
【技術分野】
【０００１】
本発明は、モバイルデバイスをペアリングする方法に関するものであり、特に、ペアリングされるモバイルデバイス間でデータを転送するものに関するものであるが、これに限定されるものではない。
【背景技術】
【０００２】
モバイルフォンの普及及びモバイル技術の発達により、情報を交換するためのモバイルデバイスに対する需要が増加している。例えば、２つのモバイルフォンは、Ｂｌｕｅｔｏｏｔｈ（登録商標）接続を介してデータを交換することができるが、「ペアリングの失敗（Ｐａｉｒｉｎｇ  Ｕｎｓｕｃｃｅｓｓｆｕｌ）」のようなペアリングの問題が共通している。簡易かつ成功率が高いペアリングアルゴリズムが提案されているが、このようなペアリングアルゴリズムは、正確でない場合がある。
【発明の概要】
【発明が解決しようとする課題】
【０００３】
本発明は、従来技術の不利益の少なくとも１つを解消するモバイルデバイスをペアリングする方法を提供する及び／又は有益な選択肢を公衆に提供することを目的とする。
【課題を解決するための手段】
【０００４】
本発明の第１の態様によれば、ペアリングされるモバイルデバイス間でデータを転送するためのモバイルデバイスをペアリングする方法であって、（ｉ）ペアリングする前記モバイルデバイスを決定するために、ペアリングパラメータをペアリング条件で検証するステップであって、前記ペアリングパラメータの少なくとも１つが、ペアリングされる前記モバイルデバイスから受信され、前記ペアリングが前記モバイルデバイスを振る動きによって開始され、少なくとも１つの前記ペアリングパラメータが前記モバイルデバイスの各向きを含む、ステップと、（ｉｉ）前記ペアリング条件を満たす場合、前記モバイルデバイスをペアリングするステップと、を備える方法を提供する。
【０００５】
用語「モバイルデバイス（ｍｏｂｉｌｅ  ｄｅｖｉｃｅ）」は、通常、ユーザによって持ち歩かれるデバイスのようなモバイル又はポータブルなデバイスを意味すると理解される。モバイルデバイスの例としては、モバイルフォン、タブレット、ポータブルパーソナルコンピュータ、ＰＤＡ及び他の電子装置を含む。
【０００６】
用語「ペアリング（ｐａｉｒｉｎｇ）」は、２つのモバイルデバイス間をペアリングすること、又は１つのモバイルデバイスと他の複数のモバイルデバイスとをペアリングすることを意味する。
【０００７】
説明される実施形態の利点は、モバイルデバイスを振る方向を使用することにより、モバイルデバイスのより正確かつ迅速なペアリングを実現することができることである。更に、ペアリングの成功率を向上させることもできる。
【０００８】
パラメータの少なくとも１つは、モバイルデバイスをペアリングするためのペアリングサーバによって提供されてもよい。前記方法は、前記モバイルデバイスの向きが、前記検証するステップ（ｉ）で使用されたか判定するステップと、前記モバイルデバイスの向きが、前記検証するステップ（ｉ）で使用された場合には、前記モバイルデバイスの向きを検証するステップと、を更に備える。
【０００９】
前記方法は、前記モバイルデバイスの向きを連続的に記録するステップを更に備えることが好ましい。これは、振る動きの際にモバイルフォンの向きが、モバイルフォンの向きの決定が正確ではないため、モバイルデバイスの向きを連続的に記録することにより、前記方法が、振る動きを検出する前に、選択された時間にモバイルフォンの向きを決定することができるという利点を有する。その結果、前記方法は、前記振る動きを開始する前の所定の時間に前記モバイルデバイスの向きを取得するステップを備えてもよい。前記所定の時間は、アプリケーションに応じて変化してもよく、１秒であることが好ましい。
【００１０】
前記ペアリングパラメータをペアリング条件で検証するステップは、反転方向を取得するために前記モバイルデバイスの１つの向きを反転させるステップと、前記反転方向を別の一又はそれ以上のモバイルデバイスの向きと比較するステップと、を含んでもよい。前記方法は、エラーマージンに基づいて前記反転方向の最大値及び最小値を導き出すステップと、前記最大値及び前記最小値を前記別の一又はそれ以上のモバイルデバイスの向きと比較するステップと、を含んでもよい。
【００１１】
前記ペアリングパラメータは、モバイルフォンの地理的位置及び／又はペアリングのための要求が受信されるペアリング開始時間を含むことが好ましい。前記ペアリング条件は、距離閾値を含んでもよく、前記ステップ（ｉ）は、前記モバイルフォンの地理的位置に基づいて２つのモバイルフォン間の距離を求めるステップと、前記距離を前記距離閾値と比較するステップと、を含む。前記ペアリング条件は、時間閾値を含んでもよく、前記ステップ（ｉ）は、２つのモバイルフォンの開始時間の差を求めるステップと、前記差を前記時間閾値と比較するステップと、を含む。
【００１２】
前記ステップ（ｉｉ）は、ペアリングのために前記モバイルデバイスを認識する接続識別子を生成するステップと、前記接続識別子を前記２つのモバイルデバイスへ送信するステップと、を含み、前記接続識別子は、転送されるデータと共に送信されることが好ましい。
【００１３】
前記ステップ（ｉｉ）は、前記モバイルデバイスを別の複数のモバイルデバイスとペアリングするステップを含む。
【００１４】
本発明の第２の態様によれば、ペアリングされるモバイルデバイス間でデータを転送するためのモバイルデバイスをペアリングする装置であって、前記装置は、ペアリングする前記モバイルデバイスを決定するために、ペアリングパラメータをペアリング条件で検証するコントローラを備え、前記ペアリングが前記モバイルデバイスを振る動きによって開始され、少なくとも１つのペアリングパラメータが前記モバイルデバイスの各向きを含み、前記コントローラは、更に、検証された前記ペアリングパラメータに基づいて前記モバイルデバイスをペアリングするように構成される、装置を提供する。
【００１５】
本発明の第３の態様によれば、ペアリングされるモバイルデバイス間でデータを転送するためのモバイルデバイスをペアリングする方法であって、（ｉ）ペアリング要求を開始するためにモバイルデバイスを振るステップと、（ｉｉ）前記モバイルデバイスを振ったことに応じて、ペアリング条件に対する検証のために少なくとも１つのペアリングパラメータをペアリングサーバへ送信するステップであって、前記少なくとも１つのペアリングパラメータが前記モバイルデバイスの向きを含む、ステップと、（ｉｉｉ）前記ペアリングサーバから接続識別子を受信するステップであって、前記接続識別子がデータ転送に使用される、ステップと、を備える方法を提供する。
【００１６】
本発明の第４の態様によれば、ペアリングされるモバイルデバイス間でデータを転送するためのモバイルデバイスをペアリングする方法であって、（ｉ）ペアリング要求を開始するためにモバイルデバイスを振るステップと、（ｉｉ）ペアリングする前記モバイルデバイスを決定するために、ペアリングサーバにより、ペアリングパラメータをペアリング条件で検証するステップであって、前記ペアリングパラメータの少なくとも１つが、ペアリングされる前記モバイルデバイスから受信され、少なくとも１つの前記ペアリングパラメータが前記モバイルデバイスの各向きを含む、ステップと、（ｉｉｉ）前記ペアリング条件を満たす場合、ペアリングする前記モバイルデバイスを識別する接続識別子を生成するステップと、（ｉｖ）前記接続識別子をモバイルフォンへ送信するステップと、を備える方法を提供する。
【００１７】
本発明の第５の態様によれば、データ転送のために通信装置をペアリングする方法であって、第１の通信装置からの第１のペアリング要求を受信するステップであって、前記第１のペアリング要求が、ユーザに関連付けられるデータ転送を識別する情報を含む、ステップと、前記データ転送を識別するためにユニークコードを生成するステップと、前記ユニークコードを前記第１の通信装置へ送信するステップと、第２の通信装置からのペアリング検証要求を受信するステップと、前記第２のペアリング要求が前記ユニークコードを含むかを検証するステップと、そうである場合、データ転送を処理するステップと、を備える方法を提供する。
【００１８】
前記ユニークコードは、ＱＲコード（登録商標）の一部としてエンコードされてもよい。前記データ転送が支払い取引である場合、前記第１の通信装置は、前記支払いの受領者と関連付けられてもよい。前記第２の通信装置は、前記支払いの支払者と関連付けられてもよい。
【００１９】
前記方法は、前記第２の通信装置が、前記ＱＲコードからユニークコードを抽出するステップを更に備えてもよく、前記ペアリング検証要求は、抽出された前記ユニークコードを含む。
【００２０】
ある態様に関連する特徴は、別の態様に適用可能であってもよいことが理解されるべきである。
【図面の簡単な説明】
【００２１】
本発明の実施例を添付の図面を参照しながら説明する。
【００２２】
【図１】図１は、第１の実施形態に係る２つのモバイルフォンをペアリングするための装置の模式図である。
【図２】図２は、図１のモバイルフォンのペアリング回路のブロック図である。
【図３】図３は、図１の２つのモバイルフォン及び２つの他のモバイルフォンを振る方向を示す。
【図４】図４は、図１の装置によって実行されるペアリングアルゴリズムを規定するフローチャートである。
【図５】図５は、第２の実施形態に係る２つの通信装置をペアリングするための装置の模式図である。
【図６】図６は、図５の装置によって実行されるペアリングアルゴリズムを規定するフローチャートである。
【発明を実施するための形態】
【００２３】
図１は、第１の実施形態に係る２つのモバイルフォンをペアリングするための装置１００の模式図である。装置１００は、データを第２のモバイルデバイス１０４へ転送することを希望している第１のモバイルデバイス１０２を備え、第１のモバイルデバイス１０２は、データ転送を可能にするために第２のモバイルデバイス１０４とペアリングされる必要がある。装置１００は、更に、シェイクサーバ１０６と、ＧＰＳ衛星１０８，１１０と、基地局１１２，１１４と、を備える。
【００２４】
モバイルフォン１０２，１０４のそれぞれは、ペアリング回路２００を含み、ペアリング回路のブロック図は、図２に示される。ペアリング回路２００は、モバイルフォン１０２，１０４を振る動き又はモーションを検出する加速度計２０２と、モバイルフォンの向きを検出するデジタルコンパス２０４と、を備える。ペアリング回路２００は、モバイルフォン１０２，１０４の地理的位置を決定するために、基地局１１２，１１４を介して各ＧＰＳ衛星１０８，１１０からＧＰＳ信号を受信するａｓｓｉｓｔｅｄ  ｇｌｏｂａｌ  ｐｏｓｉｔｉｏｎｉｎｇ  ｓｙｓｔｅｍ（ＡＧＰＳ）ＡＰＩ又はモジュール２０６を更に備える。
【００２５】
ペアリング回路２００は、デジタルコンパス２０４、加速度計２０２及びＧＰＳモジュール２０６と通信し、モバイルフォン１０２，１０４のアンテナ２１２による情報の送受信を制御するプロセッサ又はコントローラ２１０を備える。なお、コントローラ２１０は、モバイルフォン１０２，１０４に対する音声／データを処理するものと同一のコントローラであってもよい。
【００２６】
モバイルフォン１０２，１０４は、アンテナ２１２及び各基地局１１２，１１４を通じてシェイクサーバ１０６と通信し、また、ＧＰＳ信号も受信するように構成される。モバイルフォンとシェイクサーバ１０６との通信は、例えば、Ｗｉ−Ｆｉ（登録商標）、インターネット、２Ｇ、３Ｇ又は４Ｇ通信規格のような任意の無線通信伝送技術を介するものであってもよい。これは、インターネットに存在することがシェイクサーバ１０６にとって好ましく、モバイルフォン１０２，１０４は、このような無線技術を用いてインターネットにアクセスするように構成され、シェイクサーバ１０６は、モバイルフォン１０２，１０４と通信（送信／受信）するためのインターネットポートを含む。
【００２７】
図４は、ペアリングアルゴリズム４００を示す。ステップ４０２では、２つのモバイルフォン１０２，１０４間のペアリングを開始するために、モバイルフォン１０２，１０４のユーザは、各々の手にモバイルフォン１０２，１０４を持ち、“ハンド−シェイク（ｈａｎｄ−ｓｈａｋｅ）”ジェスチャを行う。ハンド−シェイクジェスチャは、図３の矢印Ａ及びＢとして示される。ハンド−シェイクモーションＡ及びＢは、モバイルフォン１０２，１０４の各加速度計２０２により検出され、これが２つのモバイルフォン１０２，１０４間のペアリングを開始する。モバイルフォン１０２，１０４のコントローラ２１０は、それぞれのペアリングの開始を受信し、次に、コントローラ２１０は、ステップ４０４において、ペアリングパラメータを決定する。
【００２８】
コントローラ２１０は、対応するデジタルコンパス２０４に問い合わせ、第１のペアリングパラメータとして各モバイルフォン１０２，１０４の向きΑΑ，ΒΒを取得する。北を“Ｎ”として示した図３の例を用いて、第１のモバイルデバイス１０２の向きＡＡは、北に対して１００°Ｅである。本実施形態では、当該向きは、モバイルフォンの上を指す向きであることがわかる。モバイルフォンの上とは、受話口が、モバイルフォンの下部にあるレシーバの反対側に配置される場所である。第２のモバイルフォン１０４の場合には、“ハンド−シェイクジェスチャ”時のモバイルフォンの向きは、２７８°Ｗである向きＢＢである。
【００２９】
ハンドシェイクジェスチャ時にモバイルフォン１０２，１０４の向きが決定された場合（つまり、モバイルフォン１０２，１０４が振られているとき）には、読み取りが正確でない場合があることがわかっている。よって、モバイルフォン１０２，１０４の向きをハンドシェイクジェスチャの直前に取得することが好ましい。これを実現するため、デジタルコンパス２０４は、各モバイルフォン１０２，１０４の向きをを連続的に検出し、各モバイルフォン１０２，１０４のメモリにおいて、向きの値を更新する。
【００３０】
よって、モバイルフォン１０２，１０４のコントローラ２１０は、各ペアリングの開始を受信し、その時点でのモバイルフォン１０２，１０４の向きをキャプチャするのではなく、コントローラ２１０は、シェイクを開始する直前、この例の場合には１秒前に各モバイルフォン１０２，１０４のメモリを参照する。
【００３１】
本実施形態の目的のために、シェイクを開始する直前のモバイルフォン１０２，１０４の向きは、それぞれ、１００°Ｅ及び２７８°Ｗである。本実施形態では、２０°のエラーマージン又は許容範囲が設けられ、これは、以下に詳細に述べられる。エラーマージンは、用途に応じて修正及び変更されてもよいことが理解されるべきである。コントローラ２１０は、ステップ４０４において、ＡＧＰＳモジュール２０６からコントローラ２１０へ各ＧＰＳ信号のダウンロードも開始する。理解されるように、ＡＧＰＳモジュール２０６は、ＡＧＰＳが用いられるため、各基地局１１２，１１４を通じてＧＰＳ衛星１０８，１１０からのＧＰＳ信号を取得する。これは、ＧＰＳ信号の受信をより迅速にする。ＡＧＰＳが弱い又は精度を向上させる場合には、モバイルフォン１０２，１０４は、モバイルフォン１０２，１０４の位置を求めるためにＷｉ−Ｆｉ（利用可能な場合）を用いてもよい。
【００３２】
ＧＰＳ信号は、緯度及び経度座標を用いてモバイルフォンの地理的位置を認識し、これらは、第２のペアリングパラメータとして用いられる。第１のモバイルフォン１０２の地理的座標を（ｘ１，ｙ１）とし、第２のモバイルフォン１０４の地理的座標を（ｘ２，ｙ２）とし、ｘ１及びｘ２は、第１及び第２のモバイルフォン１０２，１０４それぞれの緯度座標であり、ｙ１及びｙ２は、第１及び第２のモバイルフォン１０２，１０４それぞれの経度座標であるものとする。
【００３３】
次に、モバイルフォン１０２，１０４のコントローラ２１０は、振る方向を含む各ペアリングパラメータを含むペアリング要求及び地理的位置を、アンテナ２１２を介してシェイクサーバ１０６へ送信する。
【００３４】
ステップ４０５において、ペアリング要求を受信すると、シェイクサーバ１０６は、ステップ４０５におけるペアリング開始時間を各ペアリング要求へ割り当て、ペアリング開始時間は、第３のペアリングパラメータである。この場合には、第１のモバイルフォン１０２のペアリング開始時間をｔ１とし、第２のモバイルフォン１０４のペアリング開始時間をｔ２とする。
【００３５】
ステップ４０６及び４０８において、シェイクサーバ１０６は、ペアリングパラメータをペアリング条件と比較することにより、ペアリングパラメータを検証する。シェイクサーバ１０６は、２つのモバイルフォン１０２，１０４の地理的位置（ｘ１，ｙ１）及び（ｘ２，ｙ２）をチェックし、モバイルフォン１０２，１０４が同一の位置にあるかどうかを判定する。本実施形態では、同一の位置とは、互いに３００メートルの距離閾値内にあるものとして定義され、距離閾値は、ペアリング条件の１つである。モバイルフォン１０２，１０４が同一の位置内にない場合には、ペアリングアルゴリズム４００は、ステップ４１０へ進み、ペアリングアルゴリズムを終了させるペアリングエラーメッセージを生成する。ユーザがペアリングを再度行うために、ユーザは、モバイルデバイス１０２，１０４を再度振らなければならない。
【００３６】
シェイクサーバ１０６が、２つのモバイルフォン１０２，１０４が同一の位置（すなわち、３００メートル以内）にあることを検証した場合、シェイクサーバ１０６は、モバイルフォン１０２，１０４の両方が、真にハンドシェイクジェスチャを開始したペアリングであるかどうかを判定することを補助するペアリング開始時間ｔ１，ｔ２を検証する。本実施形態では、開始時間ｔ１，ｔ２間の差は、５０秒の時間閾値に基づいて用いられ、これは、別のペアリング条件である。差が５０秒未満である場合には、シェイクサーバ１０６は、モバイルフォン１０２，１０４がペアリングを希望するとみなす。一方、ステップ４０８において、差が５０秒以上である場合には、エラーメッセージを表示する。
【００３７】
開始時間と開始時間との差が５０秒未満である場合には、シェイクサーバ１０６は、次に、第１のペアリングパラメータ、つまり、振る方向が用いられるかどうかチェックする。シェイクサーバ１０６が、別のモバイルフォン（モバイルフォン１０２，１０４以外）からのペアリング要求を受信しない場合には、シェイクサーバ１０６は、ペアリングアルゴリズムの一部として向きを使用する必要がない。
【００３８】
一方、シェイクサーバ１０６が、２つのモバイルフォン１０２，１０４及び別のモバイルフォン（例えば、図３の第３及び第４のモバイルフォン１１６，１１８参照）ペアリング要求を受信しており、これらのモバイルフォン１０２，１０４，１１６，１１８の全てが、上記で説明された距離閾値及び時間閾値を満たす場合には、シェイクサーバ１０６は、ペアリングされる２つのモバイルフォンのいずれかを判定するために、向きを使用する。これは、多くのモバイルデバイスのようにペアリングを中止するのではなく、ペアリング成功率を向上させるため、シェイクサーバ１０６は、モバイルデバイスの向きを利用して、ペアリングのためにモバイルデバイスの正しいペアを認識することができるという利点を有する。
【００３９】
１００°Ｅの向きＡＡ及び２７８°Ｗの第２のモバイルフォンの向きＢＢを取得すると、シェイクサーバ１０６は、２つのモバイルフォン１０２，１０４が互いを指し示すかどうかを判定するためにこれらの２つの向きを処理する。
【００４０】
第１に、シェイクサーバ１０６は、１００°Ｅの第１のモバイルフォン１０２の向きを取得し、当該値を反転して、２８０°とする。次に、シェイクサーバ１０６は、２０°のエラーマージンを用いて最小及び最大方向値を導く。最小方向値は、２８０°−１０°、つまり、２７０°であり、最大方向値は、２８０°＋１０°、つまり、２９０°である。第２に、シェイクサーバ１０６は、第２のモバイルフォン１０４の向きを、最小及び最大方向値と比較する。第２のモバイルフォン１０４の向きが最小及び最大方向値の範囲内である場合には、シェイクサーバ１０６は、２つのモバイルフォン１０２，１０４が同一の“ハンドシェイク”に参加していることを認識する。
【００４１】
この例では、第２のモバイルフォン１０４の向きは、最小方向値２７０°及び最大方向値２９０°内である２７８°Ｗである。よって、これはペアリング条件を満たしており、フローはステップ４１２へ進む。
【００４２】
シェイクサーバ１０６が２つのペアリングモバイルフォン１０２，１０４を検証及び認識すると、シェイクサーバ１０６は、ステップ４１２において、モバイルフォン１０２，１０４のペアのための接続識別子（ＩＤ）を生成し、接続ＩＤをモバイルフォン１０２，１０４のペアへ送信する。接続ＩＤを送信することにより、第１及び第２のモバイルフォン間のペアリングは、接続ＩＤを受信すると、成功したものと見なされ、第１及び第２のモバイルフォン１０２，１０４は、データを転送又は共有できる状態となる。
【００４３】
本実施形態では、第１のモバイルフォン１０２は、データ（画像、問い合わせ先、ｅビジネスカード、テキスト注釈、金額値等）を第２のモバイルフォン１０４へ転送しようとしており、データと共に接続ＩＤをシェイクサーバ１０６へ送信する。データ及び接続ＩＤを受信すると、シェイクサーバ１０６は、データ及び接続ＩＤをタグとして記憶し、シェイクサーバ１０６とのデータ転送接続を確立するために、第２のモバイルフォン１０４を待つ（データ転送接続が既に確立されている場合）。第２のモバイルフォン１０４は、シェイクサーバ１０６を周期的にチェックし、データが第２のモバイルフォン１０４へ送信される状態であるとき、第２のモバイルフォン１０４は、シェイクサーバ１０６とのデータ転送接続をセットアップする。
【００４４】
受信された接続ＩＤにより、第２のモバイルフォン１０４は、シェイクサーバ１０６とのデータ転送接続を確立し、接続ＩＤに基づいてシェイクサーバ１０６からデータを受信する。シェイクサーバ１０６は、接続ＩＤに基づくタグを読み出し、データを含むタグを第１のモバイルフォン１０２から第２のモバイルフォン１０４へ送信する。
【００４５】
第２のモバイルフォン１０４は、転送されたデータを受信し、データ転送を完了し、シェイクサーバ１０６は、接続ＩＤを閉じる。
【００４６】
理解されるように、２つのモバイルデバイス１０２，１０４間のデータ転送は、ブリッジとしてシェイクサーバ１０６を使用する。ペアリングアルゴリズム４００により、ペアリング成功率を向上させる。
【００４７】
ペアリングアルゴリズム４００は、モバイルフォンだけでなく、Ａｐｐｌｅ  ｉＯＳ（登録商標）、Ａｎｄｒｉｏｄ（登録商標）、Ｂｌａｃｋｂｅｒｒｙ（登録商標）ＯＳ、Ｗｉｎｄｏｗｓ（登録商標）  Ｍｏｂｉｌｅ７／８、Ｓｙｍｂｉａｎ（登録商標）等のような任意のオペレーティングシステムを用いる任意のモバイルデバイスで使用されてもよい。
【００４８】
ペアリングアルゴリズム４００は、ｅ−ウォレット（記憶された値をリロード、クレジットシェアリング、支払い）、モバイル広告、バンキング、発券（例えば、航空機）等のような多くの用途で有益となる。これは、モバイルアプリケーションの提供及び用途を向上させ、より便利かつ迅速にデータ又は情報の交換又は転送を行うことができる。
【００４９】
図５は、第２の実施形態に係る第１及び第２の通信装置５０２，５０４をペアリングする装置５００を示し、図６は、装置５００によって行われるペアリング方法の概要を示すフローチャートである。装置５００は、モバイルフォン５０２と、小売商における固定端末である電子端末５０４と、を備える。モバイルフォン５０２及び電子端末５０４は、第１の実施形態で説明された通信プロトコルのような既知の手段により、ペアリングサーバ５０６と通信するように構成される。ペアリングサーバ５０６は、例えば、銀行、金融機関又は他の団体のようなサードパーティによって操作される。
【００５０】
本実施形態では、電子端末５０４と関連付けられた小売商からアイテムを購入することを望んでいるモバイルフォン５０２のユーザにより、２つの通信装置５０２，５０４を認証するためにペアリングが行われる。ステップ６０２において、小売商は、取引情報（例えば、アイテムの数量、小売商識別子等）を電子端末５０４に入力し、ペアリングサーバ５０６への取引要求を開始し、ユニーク取引識別子を要求する。
【００５１】
取引要求を受信すると、ペアリングサーバ５０６は、ステップ６０４においてユニーク取引識別子を生成し、本実施形態では、ペアリングサーバ５０６は、更に、ペアリングＱｕｉｃｋ  Ｒｅｓｐｏｎｓｅ（登録商標）（ＱＲ）コード５１０としてユニーク取引識別子及び取引情報をエンコードする。取引情報は、小売商（又は取引要求の一般的な要求端末）を識別するアカウントＩＤ、取引の金額的価値（例えば、アイテムの購入価格等）を含んでもよい。ペアリングサーバ５０６は、次に、ペアリングＱＲコード５１０を小売商の電子端末５０４へ送信する。
【００５２】
小売商は、次に、ペアリングＱＲコード５１０を電子端末５０２に表示し、モバイルフォン５０２のユーザは、モバイルフォン５０２のアプリケーションを起動する。アプリケーションは、ユーザに、ユーザのディティールで「ログイン」することを促し、これらのディティールは、モバイルフォン５０２とペアリングサーバ５０６との間でアクティブセッションを確立するために、検証用にペアリングサーバ５０６へ送信される。モバイルフォン５０２とペアリングサーバ５０６との間で確立されるアクティブセッションにより、ユーザは、ステップ６０６において、モバイルフォン５０２を使用して、ペアリングＱＲコード５１０をスキャンする又はペアリングＱＲコード５１０の写真を撮ることにより、ペアリングＱＲコード５１０の画像をキャプチャする。
【００５３】
キャプチャされたＱＲコード画像から、モバイルフォン５０２は、ステップ６０８において、ユニーク取引識別子を抽出し、ユーザによる検証のために、関連する情報を表示する。本実施形態では、表示された関連する情報は、アイテムの価格、アイテムの説明、商品名等を含む。次に、ユーザは、取引を確認するために、個人識別コード（ｐｅｒｓｏｎａｌ  ｉｄｅｎｔｉｆｉｃａｔｉｏｎ  ｃｏｄｅ（例えば、ＰＩＮ））をモバイルフォン５０２に入力することにより取引を確認するように促され、表示された関連する情報が正しい場合には、ユーザは、確認を行う。モバイルフォン５０２で起動しているアプリケーションは、次に、検証のために、ＰＩＮをペアリングサーバ５０６を送信する。ペアリングサーバ５０６は、（以前のログインディティールに基づいて）受信したＰＩＮが本当にユーザと関連付けられているかを検証し、ＰＩＮが有効である場合、ペアリングサーバ５０６は、モバイルフォン５０２へ信号を送信する。
【００５４】
ＰＩＮに替えて、（モバイルフォン５０２と一体となった生体認証装置又はモバイルフォン５０２と接続された別の生体認証装置を介して）ユーザの生体認証情報を認証のために用いてもよいことが理解されるべきである。
【００５５】
次に、モバイルフォン５０２におけるアプリケーションは、ペアリング検証要求の一部として、ユニーク取引識別子及び関連する情報（アイテムの価格、アイテムの説明等）を、検証のためにペアリングサーバ５０６へ送信する。
【００５６】
ステップ６１０において、ペアリングサーバ５０６は、抽出されたユニーク取引識別子の有効性を検証し、抽出されたユニーク取引識別子が、ペアリングサーバ５０６により生成され、かつ電子端末５０４へ転送されたユニーク取引識別子と同一である場合、検証は成功したものと見なされ、モバイルフォン５０２は、ステップ６１６において、モバイル端末５０４とペアリングされたものとみなされる（逆の場合も同様）。一方、ステップ６１４において、抽出されたユニーク取引識別子が一致しない場合には、認証は失敗し、ペアリングサーバ５０６は、モバイルフォン５０２及び電子端末５０４へエラーメッセージをリターンする。
【００５７】
検証が成功した場合、ペアリングサーバ５０６は、例えば、（ユーザのアカウントから支払いアカウントへ転送する又はユーザへ請求書を送付することにより）支払いが小売商になされうるように取引を証明することにより、取引を処理する。その後、ステータスメッセージは、当事者の双方へ送信される。取引処理は、取引を証明する前の更なる処理のために、ペアリングサーバ５０６が、取引の詳細をサードパーティへリダイレクトする又は送信することも含んでもよい。
【００５８】
モバイルフォン５０２と固定端末５０４との間のペアリングに替えて、ペアリングは、モバイルフォン５０２と、別のモバイルデバイス５０８のような別のモバイルデバイスとの間でなされてもよい（図５参照）。フローは、図６に示されるフローと同様であり、第１のモバイルフォン５０２のユーザは、第２のモバイルフォン５０８のユーザへ支払いを望んでいるものとし、この場合、第２のモバイルフォン５０８を受領者とする。モバイルフォン５０２，５０８におけるソフトウェアアプリケーションを起動した後、受領者である第２のモバイルフォン５０８は、ユニーク取引識別子を要求するために、ペアリングサーバ５０６へ要求を送信する。ペアリングサーバ５０６は、ユニーク取引識別子を生成し、ユニーク取引識別子をＱＲコード内に埋め込み、当該ＱＲコードを第２のモバイルフォン５０８へ送信する。
【００５９】
次に、第１のモバイルフォン５０２のユーザは、支払うための金額を入力し、有効なセキュリティＰＩＮを入力することにより支払いを認証する。第１のモバイルフォン５０２のユーザは、次に、モバイルフォンのカメラを用い、第２のモバイルフォン５０８に表示されたＱＲコードをスキャンする。第１のモバイルフォン５０２のソフトウェアアプリケーションは、ＱＲコードからユニーク取引識別子を抽出し、ユニーク取引識別子を支払料金及びユーザ（つまり、支払者）の口座番号と共に、ペアリングサーバ５０６へ送信する。
【００６０】
ペアリングサーバ５０６は、次に、受信したユーザ取引識別子を、ペアリングサーバ５０６により第２のモバイルフォン５０８へ送信したものと比較することににより、受信したユーザ取引識別子を検証する。受信したユーザ取引識別子が、以前のものと一致する場合、ペアリングは成功したものと見なされ、ペアリングサーバ５０６は、取引を処理し、この場合、支払者のアカウントから第２のモバイルフォン５０８のユーザのアカウントへ金額を転送する。ステータスメッセージもまた、モバイルフォン５０２，５０８を介して各ユーザへ送信される。
【００６１】
検証が失敗した場合、エラーメッセージがモバイルフォン５０２，５０８へ送信される。
【００６２】
理解されるように、ユーザ取引識別子を用いるモバイルフォン５０２，５０８（又はモバイルフォン５０２と端末５０４）のペアリングは、ペアリングサーバ５０６が取引を認証することを補助し、情報又はデータのセキュアな交換を提供する。別のユーザへ資金を転送しようとするユーザが、ペアリングサーバ５０６により生成され、かつ別のユーザへ送信されたＱＲコードにアクセスするため、２つの通信装置（２つのモバイルフォン５０２，５０８又はモバイルフォン５０２と端末５０４）がペアリングされることを望んでいることの好適な証明を提供する。第２の実施形態は、例えば、ロイヤリティプログラム（ポイントサービス）のような各種のアプリケーションに適合されてもよいことが理解されるべきである。図５の例を用いて、第１のモバイルデバイス５０２のユーザは、電子端末５０４の小売商が有するアイテムと交換するためのポイントを有しており、ユーザは、ユニーク取引識別子が埋め込まれたＱＲコード及びコーヒー１杯無料のようなポイント報酬に関する情報を、第１のモバイルフォン５０２に要求及びダウンロードする、と仮定する。そして、ユーザは、モバイルフォン５０２を小売商へ持って行き、ＱＲコードを、コーヒ販売店のオペレータである小売商へ提示する。そして、小売商は、ＱＲコードの画像をキャプチャするために、（ソフトウェアプログラムがまだ起動していない場合）電子端末５０４におけるソフトウェアプログラムを起動する。同様に、ユニーク取引コードは、キャプチャされたＱＲコードら抽出され、当該ＱＲコードは、検証のためにペアリングサーバ５０６へ送信される。ユニーク取引コードの検証が成功した場合には、ＱＲコードは本物であることを意味し、ペアリングサーバ５０６は、確認メッセージを電子端末５０４へ送信する。
【００６３】
ペアリングの成功により、小売商は、ＱＲコードの認証を保証し、ポイント報酬の条件に応じて、ユーザに１杯無料のコーヒー（つまり、取引）を提供するために処理してもよい。
【００６４】
説明された実施形態は、限定的に構成されるべきではない。例えば、モバイルフォンに替えて、タブレット及びＰＤＡ等のような他のモバイルフォン／通信装置は、データを転送するために、提案された方法を使用してもよい。また、第１の実施形態では、ＡＧＰＳは、モバイルフォン１０２，１０４の地理的位置を決定するために使用されるが、ＧＰＳ信号を受信するために、モバイルフォンが、ＧＰＳ衛星１０８，１１０と直接通信してもよいが、そうでないことが好ましいと想定される。モバイルフォン１０２，１０４の位置が、例えば、Ｗｉ−Ｆｉポジショニングシステムのような別の手法から決定されてもよい。第１の実施形態は、一例として、第１のモバイルフォン１０２及び第２のモバイルフォン１０４からのデータの転送を使用したが、ペアリングアルゴリズム４００は、２つのモバイルフォン１０２，１０４の間のデータの交換のために使用されてもよいことが理解されるべきである。更に、装置１００は、シェイクサーバ１０６の構成及び他の構成要素に応じて、ペアリングアルゴリズム４００を用いて、同時又は連続的に装置をペアリングしてもよい。また、１つのモバイルフォンと別のモバイルフォンとをペアリングする替わりに、ペアリングアルゴリズムは、１つのモバイルフォン（又はモバイルデバイス）を多数のモバイルフォン（又はモバイルデバイス）とペアリングするために使用されてもよい。第２の実施形態と同様に、ペアリングは、１つのデバイスと複数のデバイスとの間でなされてもよい。
【００６５】
言うまでもなく、第１の実施形態の距離閾値、時間閾値及び向きのエラーマージンが変化してもよいことが理解されるであろう。
【００６６】
また、第１の実施形態では、モバイルフォン１０２，１０４の向きは、他の２つのペアリングパラメータ：位置情報及びペアリング開始時間に応じて使用されてもよく、使用されなくてもよい。しかし、モバイルフォン１０２，１０４の向きは、ペアリングの精度を向上させるためにデフォルトで使用されてもよいことが想定される。
【００６７】
第２の実施形態では、ＰＩＮの入力は、上記の説明から明らかなように必ずしも必要ではないが、ＰＩＮを用いることをセキュリティの別のレイヤーに加えてもよい。ＱＲコードに替えて、バーコードのような他のコーディング技術を使用してもよい。ユニーク取引識別子を他の情報と共に送信しするこも可能であるが、そうでないことが好ましい。
【００６８】
本発明の全体について説明してきたが、当業者には、特許請求の範囲の範囲から逸脱しない限り、多数の変更がなされうることが明らかである。
【図１】
2015534318.tif 000003
【図２】
2015534318.tif 000004
【図３】
2015534318.tif 000005
【図４】
2015534318.tif 000006
【図５】
2015534318.tif 000007
【図６】
2015534318.tif 000008
【手続補正書】
【提出日】平成26年6月11日(2014.6.11)
【手続補正１】
【補正対象書類名】特許請求の範囲
【補正対象項目名】全文
【補正方法】変更
【補正の内容】
【特許請求の範囲】
【請求項１】
ペアリングされるモバイルデバイス間でデータを転送するためのモバイルデバイスをペアリングする方法であって、
（ｉ）ペアリングする前記モバイルデバイスを決定するために、ペアリングパラメータをペアリング条件で検証するステップであって、前記ペアリングパラメータの少なくとも１つが、ペアリングされる前記モバイルデバイスから受信され、前記ペアリングが、互いに接触しない前記モバイルデバイスを振る動きによって開始され、少なくとも１つの前記ペアリングパラメータが前記モバイルデバイスの各向きを含み、各向きに基づいて前記モバイルデバイスが互いを指し示すかどうかを判定する、ステップと、
（ｉｉｉ）前記ペアリング条件を満たす場合、前記モバイルデバイスをペアリングするステップと、を備える方法。
【請求項２】
前記ペアリングパラメータの少なくとも１つは、前記モバイルデバイスをペアリングするペアリングサーバによって提供される請求項１に記載の方法。
【請求項３】
前記モバイルデバイスの向きが、前記検証するステップ（ｉ）で使用されたか判定するステップと、
前記モバイルデバイスの向きが、前記検証するステップ（ｉ）で使用された場合には、前記モバイルデバイスの向きを検証するステップと、を更に備える請求項１又は２に記載の方法。
【請求項４】
前記モバイルデバイスの向きを連続的に記録するステップを更に備える請求項１から３のいずれか一項に記載の方法。
【請求項５】
前記振る動きを開始する前の所定の時間に前記モバイルデバイスの向きを取得するステップを更に備える請求項４に記載の方法。
【請求項６】
前記所定の時間は、１秒である請求項５に記載の方法。
【請求項７】
前記ペアリングパラメータを前記ペアリング条件で検証するステップは、反転方向を取得するために前記モバイルデバイスの１つの向きを反転させるステップと、前記反転方向を別の一又はそれ以上のモバイルデバイスの向きと比較するステップと、を含む請求項１から６のいずれか一項に記載の方法。
【請求項８】
エラーマージンに基づいて前記反転方向の最大値及び最小値を導き出すステップと、前記最大値及び前記最小値を前記別の一又はそれ以上のモバイルデバイスの向きと比較するステップと、更に備える請求項７に記載の方法。
【請求項９】
前記ペアリングパラメータは、モバイルデバイスの地理的位置及び／又はペアリングのための要求が受信されるペアリング開始時間を含む請求項１から８のいずれか一項に記載の方法。
【請求項１０】
前記ペアリング条件は、距離閾値を含み、前記ステップ（ｉ）は、前記モバイルフォンの地理的位置に基づいて２つのモバイルフォン間の距離を求めるステップと、前記距離を前記距離閾値と比較するステップと、を含む請求項９に記載の方法。
【請求項１１】
前記ペアリング条件は、時間閾値を含み、前記ステップ（ｉ）は、２つのモバイルフォンの開始時間の差を求めるステップと、前記差を前記時間閾値と比較するステップと、を含む請求項９又は１０に記載の方法。
【請求項１２】
前記ステップ（ｉｉｉ）は、ペアリングのために前記モバイルデバイスを認識する接続識別子を生成するステップと、前記接続識別子を前記２つのモバイルデバイスへ送信するステップと、を含み、前記接続識別子は、転送されるデータと共に送信される請求項１から１１のいずれか一項に記載の方法。
【請求項１３】
前記ステップ（ｉｉｉ）は、前記モバイルデバイスを別のモバイルデバイスとペアリングするステップを含む請求項１から１２のいずれか一項に記載の方法。
【請求項１４】
前記ステップ（ｉｉｉ）は、前記モバイルデバイスを別の複数のモバイルデバイスとペアリングするステップを含む請求項１から１２のいずれか一項に記載の方法。
【請求項１５】
ペアリングされるモバイルデバイス間でデータを転送するためのモバイルデバイスをペアリングする装置であって、前記装置は、
ペアリングする前記モバイルデバイスを決定するために、ペアリングパラメータをペアリング条件で検証するコントローラを備え、前記ペアリングパラメータの少なくとも１つが、ペアリングされる前記モバイルデバイスから受信され、前記ペアリングが、互いに接触しない前記モバイルデバイスを振る動きによって開始され、少なくとも１つの前記ペアリングパラメータが前記モバイルデバイスの各向きを含み、各向きに基づいて前記モバイルデバイスが互いを指し示すかどうかを判定し、前記コントローラは、更に、検証された前記ペアリングパラメータに基づいて前記モバイルデバイスをペアリングするように構成される、装置。
【請求項１６】
ペアリングされるモバイルデバイス間でデータを転送するためのモバイルデバイスをペアリングする方法であって、
（ｉ）別のモバイルデバイスによるペアリング要求を開始するために、前記別のモバイルデバイスと接触しないモバイルデバイスを振るステップと、
（ｉｉ）前記モバイルデバイスを振ったことに応じて、ペアリング条件に対する検証のために少なくとも１つのペアリングパラメータをペアリングサーバへ送信するステップであって、前記少なくとも１つのペアリングパラメータが前記モバイルデバイスの向きを含み、振られる前記モバイルデバイスが、ペアリングされる前記別のモバイルデバイスを指し示すかどうかを判定する、ステップと、
（ｉｉｉ）前記ペアリングサーバから接続識別子を受信するステップであって、前記接続識別子がデータ転送に使用される、ステップと、を備える方法。
【請求項１７】
ペアリングされるモバイルデバイス間でデータを転送するためのモバイルデバイスをペアリングする方法であって、
（ｉ）ペアリング要求を開始するために、互いに接触しないモバイルデバイスを振るステップと、
（ｉｉ）ペアリングする前記モバイルデバイスを決定するために、ペアリングサーバにより、ペアリングパラメータをペアリング条件で検証するステップであって、前記ペアリングパラメータの少なくとも１つが、ペアリングされる前記モバイルデバイスから受信され、少なくとも１つの前記ペアリングパラメータが前記モバイルデバイスの各向きを含み、前記モバイルデバイスが互いを指し示すかどうかを判定する、ステップと、
（ｉｉｉ）前記ペアリング条件を満たす場合、ペアリングする前記モバイルデバイスを識別する接続識別子を生成するステップと、
（ｉｖ）前記接続識別子をモバイルフォンへ送信するステップと、を備える方法。
【国際調査報告】
2015534318.tif 000009
2015534318.tif 000010
2015534318.tif 000011
2015534318.tif 000012
2015534318.tif 000013